(57)【要約】【課題】    開口部分を有する第１部分と、第１部分に対して相対的に移動することで該開口部分を開閉する第２部分と、を備える開閉装置に配設され、第２部分が第１部分に対して相対的に移動することで該開口部分が開閉されたかどうかを管理者等が容易に知ることができる装置を提供する。【解決手段】開口部分を開閉した回数に応じた開閉回数関連情報を表示する開閉回数関連情報表示装置であって、第１部分と第２部分とのいずれか一方に取り付けられる本体部分と、第１部分と第２部分とのいずれか他方に係合し、該他方が本体部分に対して生じる相対的変位を検出する変位検出手段と、変位検出手段が検出する該相対的変位に基づき開閉回数関連情報を形成する情報形成手段と、情報形成手段が形成した開閉回数関連情報を表示する表示手段と、を備えてなる、開閉回数関連情報表示装置である。【選択図】  図３
2009211130.tif 000002
【特許請求の範囲】
【請求項１】
開口部分を有する第１部分と、第１部分に対して相対的に移動することで該開口部分を開閉する第２部分と、を備える開閉装置に配設され、第２部分が第１部分に対して相対的に移動することで該開口部分を開閉した回数に応じた開閉回数関連情報を表示する開閉回数関連情報表示装置であって、
第１部分と第２部分とのいずれか一方に取り付けられる本体部分と、
第１部分と第２部分とのいずれか他方に係合し、該他方が本体部分に対して生じる相対的変位を検出する変位検出手段と、
変位検出手段が検出する該相対的変位に基づき開閉回数関連情報を形成する情報形成手段と、
情報形成手段が形成した開閉回数関連情報を表示する表示手段と、
を備えてなる、開閉回数関連情報表示装置。
【請求項２】
開閉回数関連情報が、所定期間内に前記開口部分を開閉した回数である、請求項１に記載の開閉回数関連情報表示装置。
【請求項３】
変位検出手段が、第２部分が第１部分に対して相対的に移動し前記開口部分を１回開閉する毎に、１周期の本体部分に対する相対的変位を生じる変位部材を含むものである、請求項１又は２に記載の開閉回数関連情報表示装置。
【請求項４】
前記変位部材が、一方向とその逆方向とに往復動可能に支持されると共に該一方向に向かって付勢されるものであり、該一方向から該逆方向へ前記他方により押圧されることで付勢力に抗して該逆方向へ移動し、そして前記他方の押圧が解かれることで付勢力により該一方向へ戻るものであり、
前記他方による押圧によって該一方向から該逆方向へ移動し再び該一方向へ戻る前記変位部材の１往復動が前記１周期の本体部分に対する相対的変位である、請求項３に記載の開閉回数関連情報表示装置。
【請求項５】
変位検出手段が、前記他方に係合する磁力発生手段と、磁力発生手段から生じる磁力の変化を検出するために本体部分に取り付けられた磁力変化検出手段と、を有してなる、請求項１又は２に記載の開閉回数関連情報表示装置。
【請求項６】
第１部分が箱体たる引き出し部であると共に、第２部分が、該引き出し部を抜き差し可能に収容する引き出し収容部である、請求項１乃至５のいずれか１に記載の開閉回数関連情報表示装置。
【請求項７】
前記引き出し部の内部に配設されるものである、請求項６に記載の開閉回数関連情報表示装置。
【請求項８】
第１部分が内部に収納空間を有する容器本体であり、第２部分が、該容器本体に対して相対的に回動する容器蓋体である、請求項１乃至５のいずれか１に記載の開閉回数関連情報表示装置。
【請求項９】
第１部分が建造物本体であり、第２部分が、該建造物本体に取り付けられ回動又はスライド可能な扉又は窓である、請求項１乃至５のいずれか１に記載の開閉回数関連情報表示装置。
【請求項１０】
請求項１乃至９のいずれか１に記載の開閉回数関連情報表示装置が配設された前記開閉装置。
【発明の詳細な説明】
【技術分野】
【０００１】
本発明は、開閉回数関連情報表示装置に関し、より詳細には、開口部分を有する第１部分と、第１部分に対して相対的に移動することで該開口部分を開閉する第２部分と、を備える開閉装置に配設され、第２部分が第１部分に対して相対的に移動することで該開口部分を開閉した回数に応じた開閉回数関連情報を表示する開閉回数関連情報表示装置に関する。
【背景技術】
【０００２】
開口部分を有する第１部分と、第１部分に対して相対的に移動することで該開口部分を開閉する第２部分と、を備える開閉装置は様々なところで用いられている。
例えば、引き出しを有する机（開閉装置）を例にとれば、上方に開放された開口部分を有する箱体である引き出し部（第１部分）と、引き出しを抜き差し可能に収容する机本体部（引き出し収容部、第２部分）と、を備え、机本体部（引き出し収容部、第２部分）から引き出し部（第１部分）を引き出すことで該開口部分を開放し、そして机本体部（引き出し収容部、第２部分）へ引き出し部（第１部分）を差し込むことで該開口部分を閉じることができるものであるので、机本体部（引き出し収容部、第２部分）は引き出し部（第１部分）に対して相対的に移動（ここでは絶対位置としては机本体部（引き出し収容部、第２部分）は静止し、引き出し部（第１部分）が移動するが、引き出し部（第１部分）に対する相対的位置としては机本体部（引き出し収容部、第２部分）が相対移動する。）することで該開口部分を開閉することができるものである。
また、別の例としては、内部に収納空間が形成される容器（開閉装置）を例にとれば、上方に開放された開口部分と内部の収納空間とを有する容器本体（第１部分）と、容器本体（第１部分）に対して相対的に回動する容器蓋体（第２部分）と、を備え、容器蓋体（第２部分）を容器本体（第１部分）に対して相対的に回動させることで該開口部分を開放したり閉じたりすることができるものであるので、容器蓋体（第２部分）は容器本体（第１部分）に対して相対的に移動（ここでは回動）することで該開口部分を開閉することができるものである。
更なる別の例としては、開口部分に扉又は窓が取り付けられた建造物（開閉装置）を例にとれば、出入り口や換気口等として機能する開口部分を有する建造物本体（第１部分）と、建造物本体（第１部分）に取り付けられ回動又はスライドすることで該開口部分を開閉する扉又は窓（第２部分）と、を備え、扉又は窓（第２部分）は建造物本体（第１部分）に対して相対的に移動（回動又はスライド）することで該開口部分を開閉することができるものである。
【０００３】
このような机、容器及び建造物等のような開閉装置においては、開閉装置の所有者や管理者等（以下、「管理者等」という。）以外の者によって前記開口部分が開放されたくないと管理者等が欲する場合がある。このような場合、一般的には、前記開口部分を開放することができないよう第２部分が第１部分に対して相対的に移動することを禁止する鍵等が広く用いられている（例えば、特許文献１、特許文献２、特許文献３参照）。
例えば、特許文献１には、「机天板の下面側に配置され、当該机天板の前縁部に対して抽斗本体が前後引き出し動自在に設けられた抽斗装置において、前記抽斗本体は携帯型ＯＡ機器が収納できる収納部を有し、抽斗前鏡板もしくは前記抽斗本体における側板には、外部に連通するケーブルの通線用の切欠き凹所が設けられていることを特徴とする机天板における抽斗装置」（特許文献１、請求項１）であって「前記抽斗前鏡板の前面に錠前用の鍵穴が設けられ、前記トレイ部と前記抽斗前鏡板とを連設する連設部材に錠前を備えたことを特徴とする」（特許文献１、請求項３）ものが開示されており、これによって「抽斗装置において、前記抽斗前鏡板の前面に錠前用の鍵穴が設けられ、前記トレイ部と前記抽斗前鏡板とを連設する連設部材に錠前を備えたものであるから、合成樹脂材にて射出成形したトレイ部と前記抽斗前鏡板との一体成形品の剛性が高くなり、変形しにくくなるという効果を奏すると共に、錠前にて抽斗装置を施錠する場合に、机天板下面と抽斗前鏡板の上面との隙間も少なくできて、盗難防止の効果が向上する。」（特許文献１、段落番号００３４）という効果を奏するものである。
そして、特許文献２には、「宅配物収容容器１００は、容器本体１０１と蓋体１０２とから構成されている。容器本体１０１は上面が開口し、この開口を開閉自在に蓋体１０２が設けられている。」（特許文献２、段落番号０００２）もので「容器本体１０１の前側には、錠１０６が設けられている。この錠１０６は、鍵孔１０７と、鍵１０８を備えている。この錠１０６は、鍵１０８を鍵孔１０７に差し込んで、鍵１０８を回転することにより、施錠，解錠をするようになっている。」（特許文献２、段落番号０００４）ものが開示されている。
さらに、特許文献３には、「建物の開口部に設けられる枠２と、該枠２に開閉可能に設けられた扉４とを備え、前記枠２又は枠２に設けられた袖部５に電気錠１０又は手動錠を設け、扉４に前記電気錠１０又は手動錠のデッドボルト１１が係合する受座１２を設けている。枠２又は袖部５の室内面に凹部２０を設け、該凹部２０に前記電気錠１０又は手動錠を室内側から施解錠するサムターン１４を設けている。」（特許文献３、要約の解決手段）ものが開示されている。
【０００４】
【特許文献１】特開２００３−３１０３６０号公報（例えば、請求項１、請求項３、発明の詳細な説明中の段落番号００２６、００３４、第３図等）
【特許文献２】特開２００７−１５９６２１号公報（例えば、発明の詳細な説明中の段落番号０００２〜０００６、第１２図等）
【特許文献３】特開２００６−２１４１７３号公報（例えば、要約の解決手段、請求項１等）
【発明の開示】
【発明が解決しようとする課題】
【０００５】
特許文献１に開示の発明では錠前にて抽斗装置を施錠することができ、特許文献２に開示の発明では鍵１０８を鍵孔１０７に差し込んで鍵１０８を回転することにより施錠することができ、さらに特許文献３に開示の発明では電気錠１０又は手動錠を操作して施錠することができるものであるので、確かにこれらのものを用いれば確実に施錠することで管理者等以外の者によって開口部分が開放されないようにすることができる。
しかしながら、このような施錠操作は、管理者等が施錠操作を行っている様子を周囲の者が見ることで、管理者等が周囲の者を信頼していないことを周囲の者に知られてしまう。このことは管理者等と周囲の者との間の円滑な人間関係構築を阻害することもあり得る。例えば、特許文献１に開示の発明では、管理者等は携帯型ＯＡ機器自体又はそれが記憶している情報の盗難等が周囲の者によってなされる危険性を感じて施錠していると該周囲の者が感じることで、該管理者等と該周囲の者との間に良好な信頼関係が構築されないこともあり得る。同様に、特許文献２に開示の発明では、宅配物収容容器１００に収容される物の盗難等が周囲の者によってなされる危険性を管理者等が感じて施錠していると該周囲の者が感じることにより、そして特許文献３に開示の発明では、室内に存する物の盗難等が周囲の者によってなされる危険性を管理者等が感じて施錠していると該周囲の者が感じることによって、管理者等と周囲の者との間に良好な信頼関係が構築されないこともあり得る。
また、一方では、開口部分を有する第１部分と、第１部分に対して相対的に移動することで該開口部分を開閉する第２部分と、を備える開閉装置のうち、管理者等以外の者が開口部分を開閉することを予定しない開閉装置においては、通常、管理者等以外の者によって開口部分が開閉されることはほとんどなく、管理者等は自分が開閉装置を観察していないときに開口部分が開閉されていないことを確認することで十分に安心することができる場合が多い。
【０００６】
そこで、本発明においては、開口部分を有する第１部分と、第１部分に対して相対的に移動することで該開口部分を開閉する第２部分と、を備える開閉装置に配設され、第２部分が第１部分に対して相対的に移動することで該開口部分が開閉されたかどうかを管理者等が容易に知ることができる装置を提供することを目的とする。
なお、本発明の該装置は、該開口部分が開閉できないように施錠してある開閉装置と、該開口部分が開閉できないように施錠してない開閉装置と、の別を問わず配設されることができる（該開口部分が開閉できないように施錠してある開閉装置であっても、錠を破壊することや、管理者等の意に反して解錠（所謂ピッキング等）されることがあり、その場合にも該開口部分が開閉されたかどうかを管理者等が迅速かつ容易に知ることができるので該装置は有用である。）。
【課題を解決するための手段】
【０００７】
本発明の開閉回数関連情報表示装置（以下、「本装置」という。）は、開口部分を有する第１部分と、第１部分に対して相対的に移動することで該開口部分を開閉する第２部分と、を備える開閉装置に配設され、第２部分が第１部分に対して相対的に移動することで該開口部分を開閉した回数に応じた開閉回数関連情報を表示する開閉回数関連情報表示装置であって、第１部分と第２部分とのいずれか一方に取り付けられる本体部分と、第１部分と第２部分とのいずれか他方に係合し、該他方が本体部分に対して生じる相対的変位を検出する変位検出手段と、変位検出手段が検出する該相対的変位に基づき開閉回数関連情報を形成する情報形成手段と、情報形成手段が形成した開閉回数関連情報を表示する表示手段と、を備えてなる、開閉回数関連情報表示装置である。
【０００８】
本装置は、上述したような、開口部分を有する第１部分と、第１部分に対して相対的に移動することで該開口部分を開閉する第２部分と、を備える開閉装置に配設される。第１部分は開口部分を有し、第２部分は第１部分に対して相対的に移動することで該開口部分を開閉する。ここに該開口部分を開閉するため、第２部分は第１部分に対して相対的に移動すればよく、第２部分の絶対的位置が変化するかどうかは問わない。例えば、第２部分の絶対的位置は変化せず、第１部分の絶対的位置のみが変化するような場合、第１部分の絶対的位置は変化せず、第２部分の絶対的位置のみが変化するような場合、そして第２部分の絶対的位置と第１部分の絶対的位置との両方が変化するような場合、のいずれも含む。
本装置は、該開閉装置に配設され、第２部分が第１部分に対して相対的に移動することで該開口部分を開閉した回数に応じた開閉回数関連情報を表示する開閉回数関連情報表示装置である。開口部分を開閉した回数に応じた開閉回数関連情報とは、開口部分を開閉した回数の増加に応じて変化する情報であればよく、このような開口部分を開閉した回数の増加に応じて変化する開閉回数関連情報を本装置が表示することで、開閉装置の管理者等は開閉回数関連情報の変化を認識することで開口部分が開閉されたかどうかを容易に知ることができる。
本装置は、本体部分と変位検出手段と情報形成手段と表示手段とを備えてなる。
本体部分は、第１部分と第２部分とのいずれか一方に取り付けられる。
変位検出手段は、第１部分と第２部分とのいずれか他方（本体部分が取り付けられた該一方とは異なる方）に係合し、該他方が本体部分（該一方に取り付けられる。）に対して生じる相対的変位を検出する（なお、変位検出手段の該他方への係合は、該開口部分を開閉したことを検出できる程度に本体部分に対する該他方の相対的変位に伴って変位検出手段の少なくとも一部が本体部分に対して移動すれば足りる。）。
情報形成手段は、変位検出手段が検出する該相対的変位に基づいて、該開口部分を開閉した回数に応じた開閉回数関連情報を形成するが、開閉回数関連情報の形成はいかなる方法によってもよく、例えば、機械的方法や電気的方法（情報処理技術を含む。）の別を問わない。
表示手段は、情報形成手段が形成した開閉回数関連情報を表示するが、これも表示方法は、開閉装置の管理者等が開閉回数関連情報の変化を認識することができるものであればいかなる方法によってもよく、例えば、機械的方法や電気的方法の別を問わない。
以上のように、本装置によれば、第１部分は開口部分を有し、第２部分は第１部分に対して相対的に移動することで該開口部分を開閉する開閉装置において、第２部分が第１部分に対して相対的に移動することで該開口部分を開閉した回数に応じた開閉回数関連情報が表示されるので、該開閉装置の管理者等は開閉回数関連情報の変化を認識することで該開口部分が開閉されたかどうかを容易に知ることができる。
【０００９】
開閉回数関連情報は、開口部分を開閉した回数の増加に応じて変化する情報であればよく何ら限定されるものではないが、開口部分を開閉した回数の増加に応じて規則的に変化する情報であってもよく、例えば、開口部分を開閉した回数が１回、２回、３回、４回・・・のように増加するに応じ「Ａ、Ｂ、Ｃ、Ｄ・・・・」や「ａ、ｂ、ｃ、ｄ・・・・」のようにアルファベット順に文字が表示されるものや、開口部分を開閉した回数が１回、２回、３回、４回・・・のように増加するに応じ「ア、イ、ウ、エ・・・・」のように五十音順に文字が表示されるものや、開口部分を開閉した回数が１回、２回、３回、４回・・・のように増加するに応じ「い、ろ、は、に・・・・」のように文字が順に表示されるものや、そして開口部分を開閉した回数が１回、２回、３回、４回・・・のように増加するに応じ「１、２、３、４・・・」のように所定期間内に前記開口部分を開閉した回数（開閉累積回数）を表示するもの等を例示することができる。とりわけ開口部分を開閉した回数が１回、２回、３回、４回・・・のように増加するに応じ「１、２、３、４・・・」のように所定期間内に前記開口部分を開閉した回数（開閉累積回数）を表示するようにすれば、開閉装置の管理者等は開口部分が開閉されたかどうかに加え、何回開閉されたかを容易に知ることができる。
【００１０】
変位検出手段は、前述の如く、第１部分と第２部分とのいずれか他方（本体部分が取り付けられた該一方とは異なる方）に係合し、該他方が本体部分に対して生じる相対的変位を検出することができるものであればいかなるものであってもよく何ら制限されないが、第２部分が第１部分に対して相対的に移動し前記開口部分を１回開閉する毎に、１周期の本体部分に対する相対的変位を生じる変位部材を変位検出手段が含むもの（以下、「変位部材保有本装置」という。）であってもよい。こうすることで、前記開口部分を１回開閉する毎に、変位部材が、本体部分に対して１周期の相対的変位を生じるので、該１周期の相対的変位を変位検出手段が検出することで、前記開口部分が１回開閉されたことを確実に検出することができる。
【００１１】
変位部材保有本装置の場合、前記変位部材が、一方向とその逆方向とに往復動可能に支持されると共に該一方向に向かって付勢されるものであり、該一方向から該逆方向へ前記他方により押圧されることで付勢力に抗して該逆方向へ移動し、そして前記他方の押圧が解かれることで付勢力により該一方向へ戻るものであり、前記他方による押圧によって該一方向から該逆方向へ移動し再び該一方向へ戻る前記変位部材の１往復動が前記１周期の本体部分に対する相対的変位であってもよい。
こうすることで一方向とその逆方向とに往復動可能に支持され該一方向に向かって付勢される変位部材に前記他方が当接し該一方向から該逆方向へ変位部材を押圧することでその付勢力に抗して変位部材を該逆方向へ移動させると共に、前記他方が該一方向から該逆方向へ変位部材を押圧することを解くことでその付勢力により変位部材が該一方向へ戻るようにすれば、前記他方による押圧によって該一方向から該逆方向へ移動し再び該逆方向から該一方向へ戻る変位部材の１往復動が、前記１周期の本体部分に対する相対的変位とすることができる。このように前記他方による変位部材の１往復動を、本体部分に対する１周期の相対的変位とすれば、前記開口部分が１回開閉されたことを容易かつ確実に検出することができる。
【００１２】
本装置においては、変位検出手段が、前記他方に係合する磁力発生手段と、磁力発生手段から生じる磁力の変化を検出するために本体部分に取り付けられた磁力変化検出手段と、を有してなるものであってもよい。
こうすることで磁力発生手段（例えば、永久磁石や電磁石等）が前記他方に係合（取付、接着、埋設、貼着等を含む）する。そして、磁力変化検出手段（例えば、コイルと、該コイルに生じる電流計と、により構成されてよい。）は、磁力発生手段から生じる磁力の変化を検出するために本体部分（該一方に取り付けられる。）に取り付けられるので、前記他方に伴われる磁力発生手段と、前記一方に取り付けられた本体部分に伴われる磁力変化検出手段と、によって前記他方が本体部分に対して生じる相対的変位を磁力変化検出手段が検出する磁力変化によって容易かつ確実に検出することができる。
【００１３】
本装置においては、第１部分が箱体たる引き出し部であると共に、第２部分が、該引き出し部を抜き差し可能に収容する引き出し収容部であってもよい（以下、「引き出し部具備本装置」という。）。
箱体たる引き出し部は、前述の特許文献１に記載のように、貴重品を他人に盗まれないように内部に収容するためや、他人から見られないように秘密状態にて保管すべき秘密書類等を内部に収容するため等に用いられることから、管理者等以外の者によって開口部分（通常、第１部分たる引き出し部が形成する箱体の上部開口）が開閉されたかどうかを管理者等が知りたいと欲することが多い。このため第１部分が箱体たる引き出し部であると共に、第２部分が、該引き出し部を抜き差し可能に収容する引き出し収容部であるような前記開閉装置（例えば、机、テーブル、書類入れ、戸棚、金庫、宝石入れ等）に本装置を配設して、該開閉装置の管理者等が該開口部分が開閉されたかどうかを容易に知ることができるようにしてもよい。
【００１４】
引き出し部具備本装置の場合、本装置が前記引き出し部の内部に配設されるものであってもよい。
引き出し部は、通常、種々の物を収容するための内部（空間）を有するものであるので、該内部に本装置も配設することができる。こうすれば引き出し部を引き出し収容部に差し込んで収容した状態では、該内部に配設された本装置は外部から通常視認できないので、本装置の配設を周囲の者が知ることを防止又は減少させることができ、管理者等が周囲の者を信頼していないこと（もしかすると周囲の者が引き出し部を開ける可能性があると管理者等が疑っていること）を周囲の者に知られてしまうことを防止又は減少させることができる。
【００１５】
本装置においては、第１部分が内部に収納空間を有する容器本体であり、第２部分が、該容器本体に対して相対的に回動する容器蓋体であってもよい。
このような第１部分が内部に収納空間を有する容器本体であり、第２部分が、該容器本体に対して相対的に回動する容器蓋体であるような容器（例えば、救急箱、宝石入れ、記憶媒体（例えば、コンパクトディスク（ＣＤ）、ＤＶＤ、ＦＤ等）入れ、金庫等）においては、容器に収容される収容物の重要性等から、管理者等以外の者によって開口部分（通常、第１部分たる容器本体が有する上部開口）が開閉されたかどうかを管理者等が知りたいと欲することが多いため、該開閉装置（容器）に本装置を配設して、該開閉装置の管理者等が該開口部分が開閉されたかどうかを容易に知ることができるようにしてもよい。
なお、第１部分が内部に収納空間を有する容器本体であり、第２部分が、該容器本体に対して相対的に回動する容器蓋体であるような容器の場合にも、本装置が容器本体の内部に配設されるものであってもよい。こうすれば容器蓋体により容器本体の開口部分を閉じた状態では、該内部に配設された本装置は外部から通常視認できないので、本装置の配設を周囲の者が知ることを防止又は減少させることができ、管理者等が周囲の者を信頼していないことを周囲の者に知られてしまうことを防止又は減少させることができる。
【００１６】
本装置においては、第１部分が建造物本体であり、第２部分が、該建造物本体に取り付けられ回動又はスライド可能な扉又は窓であってもよい。
建造物本体に取り付けられ回動又はスライド可能な扉又は窓からの該建造物本体への他人の進入は、盗難や殺人といった犯罪のきっかけにもなり得ることから、管理者等以外の者によって開口部分（回動又はスライド可能な扉又は窓が取り付けられた建造物本体の開口部分）が開閉されたかどうかを管理者等が知りたいと欲することが多い。このため第１部分が建造物本体であり、第２部分が、該建造物本体に取り付けられ回動又はスライド可能な扉又は窓であるような開閉装置（扉又は窓が取り付けられた建造物本体）に本装置を配設して、該開閉装置の管理者等が該開口部分が開閉されたかどうかを容易に知ることができるようにしてもよい。
【００１７】
本装置は、それ単独で製造又は販売等されてもよいが、開口部分を有する第１部分と、第１部分に対して相対的に移動することで該開口部分を開閉する第２部分と、を備える開閉装置に配設された状態で製造又は販売等されてもよい（換言すれば、本装置付きの開閉装置として製造又は販売等されてもよい。）。
【発明を実施するための最良の形態】
【００１８】
以下、本発明の実施の形態を図面を参照して説明する。しかしながら、これらによって本発明は何ら制限されるものではない。
【００１９】
（第１実施形態）
図１は、本発明の開閉回数関連情報表示装置（本装置）１０１が配設された第１実施形態の開閉装置（以下、「第１開閉装置」という。）１１を示す平面図であり、図２は第１開閉装置１１の右側面図（図１中、矢印Ａ方向から見たところを示している。）であり、図３は、後述の引き出し部２１を机本体部３１から少し引き出したところの一部を拡大した一部拡大平面図であり、そして図４は、図３に示した状態における右側面図（図３中、矢印Ｂ方向から見たところを示している。）である。図１乃至図４を参照して、第１開閉装置１１について説明する。なお、図２及び図４中、上を矢印Ｃ（鉛直上方向）にて、そして下を矢印Ｄ（鉛直下方向）にて、それぞれ示す。また、図示及び理解を容易にするため、図１及び図２においては本装置１０１の図示を一部省略している。
第１開閉装置１１は、大まかには、引き出し部２１と、引き出し部２１を抜き差し可能に収容する机本体部３１と、を備える引き出し付き机（開閉装置）であり、本装置１０１が引き出し部２１の内部２２に配設されている。
【００２０】
机本体部３１は、一面（前面）が開放された中空の略直方体形状をしている箱部分３３と、箱部分３３の下面３３ｂに上端が取り付けられた４本の脚部３５（但し、図２の如く４本のうち２本しか図面に現れない。）と、を有してなり、図示しない水平な床面に配置されている。
引き出し部２１は、主表面が略長方形をした底板２１ａと、互いに略平行になるように底板２１ａに取り付けられた一対の側板２１ｂ１、２１ｂ２と、側板２１ｂ１、２１ｂ２に対して略垂直になるように底板２１ａに取り付けられた奥板２１ｃと、奥板２１ｃに対して略平行になるように底板２１ａに取り付けられた前板２１ｄと、前板２１ｄに取り付けられた取っ手２１ｅと、を有してなり、底板２１ａと側板２１ｂ１、２１ｂ２と奥板２１ｃと前板２１ｄとによって、上面に開口部分２３を有する中空の箱形（略直方体）を形成している。該箱形のうち、底板２１ａと側板２１ｂ１、２１ｂ２と奥板２１ｃとによって形成される部分は、机本体部３１の箱部分３３の内部空間に収容されることができ、取っ手２１ｅを把持して力を加えることで机本体部３１（箱部分３３）に対して引き出し部２１を抜き差し（矢印Ｆ方向）することができる。なお、前板２１ｄは、奥板２１ｃよりもやや大きな主表面を有しており、引き出し部２１が箱部分３３の内部空間に収容されて開口部分２３が箱部分３３によって覆われる位置（即ち、開口部分２３が閉じられる位置）にて箱部分３３の前面３３ａに当接するようになっている。
このような引き出し部２１と机本体部３１とを備える引き出し付き机（開閉装置）は従来から種々用いられている。
【００２１】
本装置１０１は、引き出し部２１の内部２２に配設されており、詳述すれば、略直方体形状をした本体部分１０３と、本体部分１０３から（上方に）突出するよう付勢された変位部材１０５と、変位部材１０５が上下方向に一往復の運動をした回数を表示する本体部分１０３上面に取り付けられた表示部１０９（特に図３参照）と、変位部材１０５が上下方向に一往復の運動をする毎に表示部１０９が表示する数字を１ずつ増加させる本体部分１０３に内蔵されたカウント部１０７（特に図４参照）と、を有してなり、本体部分１０３が前板２１ｄ及び側板２１ｂ２に取り付けられることで本装置１０１は引き出し部２１に取り付けられている。
変位部材１０５は、先端が上方に向いた状態で上下方向（図４中、矢印Ｇ方向）に出没自在に本体部分１０３に対して移動可能であり、カウント部１０７に内蔵された付勢ばね（図示せず）によって本体部分１０３から上方に向けて突出するよう付勢されている。
表示部１０９は、ここでは機械式の表示具によって構成されており、図３の如く、引き出し部２１を箱部分３３から引き出すことで上方からその数字（図３では「００３９７」）を目視できる。
カウント部１０７は、変位部材１０５の上下方向の一往復運動によって表示部１０９の数字を１ずつ機械的に増加させるものである。なお、本体部分１０３に設けられた図示しない突起を押下することで、表示部１０９が表示する数字を「０」に戻す（リセット）ことができる。
なお、ここでは表示部１０９及びカウント部１０７とも機械式のものを用いているが（例えば、ライン精機株式会社製の商品名「メカニカルカウンター」と同様の機構を有する。）、これら一方又は両方を電気的に動作するものとしてよい。
【００２２】
そして、引き出し部２１が箱部分３３から引き出され開口部分２３が開放される状態（図３、図４）では、該付勢ばね（図示せず）の付勢力によって変位部材１０５は本体部分１０３から上方に向けて突出している（特に図４参照）。
この開口部分２３が開放された状態（図３、図４）から、引き出し部２１を箱部分３３に差し込むと、変位部材１０５は、箱部分３３の内部上面３３ｃによって該付勢ばね（図示せず）の付勢力に抗して下方に押下される（図１、図２）。
即ち、引き出し部２１が箱部分３３の内部空間に収容されて開口部分２３が箱部分３３によって覆われる位置（即ち、開口部分２３が閉じられる位置）では変位部材１０５は下方に押下された状態であり、そして引き出し部２１が箱部分３３から引き出され開口部分２３が開放される位置（図３、図４）では変位部材１０５は上方に突出した状態である。このため引き出し部２１が箱部分３３の内部空間に収容されて開口部分２３が箱部分３３によって覆われる位置（即ち、開口部分２３が閉じられる位置）から、引き出し部２１が箱部分３３から引き出され開口部分２３が開放される位置（図３、図４）を経て、引き出し部２１が箱部分３３に差し込まれ再び引き出し部２１が箱部分３３の内部空間に収容されて開口部分２３が箱部分３３によって覆われる位置（即ち、開口部分２３が閉じられる位置）になると、変位部材１０５は上下方向の一往復の運動をするので、該一往復の運動によりカウント部１０７が表示部１０９の数字を１だけ増加させる。
このため引き出し部２１と机本体部３１とを備える引き出し付き机である第１開閉装置１１の管理者等は、自分が第１開閉装置１１から離れるときの表示部１０９の数字を記憶しておけば、その後、自分が第１開閉装置１１に戻ってきたときの表示部１０９の数字を見ることで、自分が第１開閉装置１１から離れていた間に他の者が引き出し部２１を箱部分３３から引き出し開口部分２３を開放したかどうか（表示部１０９が表示している数字に変化がないかどうか）、そしてその回数（表示部１０９が表示している数字の変化）を知ることができる。
【００２３】
以上の通り、本装置１０１は、開口部分２３を有する第１部分（引き出し部２１）と、第１部分（引き出し部２１）に対して相対的に移動することで該開口部分２３を開閉する第２部分（机本体部３１）と、を備える開閉装置（引き出し付き机）に配設され、第２部分（机本体部３１）が第１部分（引き出し部２１）に対して相対的に移動することで該開口部分２３を開閉した回数に応じた開閉回数関連情報を表示する開閉回数関連情報表示装置であって、第１部分（引き出し部２１）と第２部分（机本体部３１）とのいずれか一方（ここでは第１部分（引き出し部２１））に取り付けられる本体部分１０３と、第１部分（引き出し部２１）と第２部分（机本体部３１）とのいずれか他方（ここでは第２部分（机本体部３１））に係合し（具体的には、箱部分３３の内部上面３３ｃによる変位部材１０５の押下）、該他方（ここでは第２部分（机本体部３１））が本体部分１０３に対して生じる相対的変位を検出する変位検出手段（変位部材１０５）と、変位検出手段（変位部材１０５）が検出する該相対的変位に基づき開閉回数関連情報を形成する情報形成手段（カウント部１０７）と、情報形成手段（カウント部１０７）が形成した開閉回数関連情報を表示する表示手段（表示部１０９）と、を備えてなる、開閉回数関連情報表示装置である。
【００２４】
本装置１０１においては、開閉回数関連情報が、所定期間内（ここでは本体部分１０３に設けられた前記図示しない突起を押下することで、表示部１０９が表示する数字を「０」に戻してからこれまでの期間内）に前記開口部分２３を開閉した回数である。
本装置１０１においては、変位検出手段（変位部材１０５）が、第２部分（机本体部３１）が第１部分（引き出し部２１）に対して相対的に移動し前記開口部分２３を１回開閉する毎に、１周期の本体部分１０３に対する相対的変位（ここでは変位部材１０５の上下方向の一往復運動）を生じる変位部材１０５を含むものである。
本装置１０１においては、前記変位部材（変位部材１０５）が、一方向（ここでは上方向）とその逆方向（ここでは下方向）とに往復動可能に支持されると共に該一方向（ここでは上方向）に向かって付勢されるものであり、該一方向（ここでは上方向）から該逆方向（ここでは下方向）へ前記他方（ここでは第２部分（机本体部３１））により押圧されることで付勢力に抗して該逆方向（ここでは下方向）へ移動し、そして前記他方（ここでは第２部分（机本体部３１））の押圧が解かれることで付勢力により該一方向（ここでは上方向）へ戻るものであり、前記他方（ここでは第２部分（机本体部３１））による押圧によって該一方向（ここでは上方向）から該逆方向（ここでは下方向）へ移動し再び該一方向（ここでは上方向）へ戻る前記変位部材（変位部材１０５）の１往復動（変位部材１０５の上下方向の一往復運動）が前記１周期の本体部分１０３に対する相対的変位である。
本装置１０１においては、第１部分（引き出し部２１）が箱体たる引き出し部２１であると共に、第２部分（机本体部３１）が、該引き出し部２１を抜き差し可能に収容する引き出し収容部である。また、ここでは本装置１０１は、前記引き出し部２１の内部２２に配設されるものである。
【００２５】
（第２実施形態）
図５は、本発明の開閉回数関連情報表示装置（本装置）２０１が配設された第２実施形態の開閉装置（以下、「第２開閉装置」という。）５１を示す正面図であり、図６は図５のＫ−Ｋ断面図である。図５及び図６を参照して、第２開閉装置５１について説明する。また、図示及び理解を容易にするため、図５においては本装置２０１の図示を一部省略している。
第２開閉装置５１は、大まかには、倉庫本体５３（建造物本体）と、倉庫本体５３に回動可能に取り付けられた扉５５と、を備える倉庫（開閉装置）であり、本装置２０１が扉５５の内側に配設されている。
【００２６】
倉庫本体５３は、図示しない略水平な地表面に設置され、中空の略直方体形状をしている。ここでは倉庫本体５３は、工事現場の資材を室内に貯蔵するものである。
扉５５は、扉本体５５ａと、扉本体５５ａの前面５５ａ１（外面側）に取り付けられた取っ手５５ｂと、を有してなり、扉本体５５ａが一対の蝶番５４によって倉庫本体５３に回動自在に取り付けられている。図５及び図６に示した状態においては、扉５５（扉本体５５ａ）は倉庫本体５３の前面５３ａに形成された開口部分５３ｈ（図６参照）を閉じているが、取っ手５５ｂを手で把持して扉５５を回動（図５及び図６中、矢印Ｊ方向）させることで開口部分５３ｈを開くことができる。即ち、扉５５は、倉庫本体５３に対して相対的に移動（回動）することで開口部分５３ｈを開閉することができる。なお、このような倉庫本体５３と扉５５とを備える倉庫（開閉装置）はこれまで様々なところで用いられている。
【００２７】
本装置２０１は、扉本体５５ａの背面５５ａ２（内面側）に配設されており、詳述すれば、略直方体形状をした本体部分２０３と、本体部分２０３から突出するよう（上方に）付勢された変位部材２０５と、変位部材２０５が上下方向に一往復の運動をした回数を表示する本体部分２０３側面に取り付けられた表示部２０９と、変位部材２０５が上下方向に一往復の運動をする毎に表示部２０９が表示する数字を１ずつ増加させる本体部分２０３に内蔵されたカウント部２０７と、を有してなり、本体部分２０３が扉本体５５ａの背面５５ａ２に取り付けられることで本装置２０１は扉５５に取り付けられている（特に、図６を参照）。
変位部材２０５は、先端が上方に向いた状態で上下方向（図６中、矢印Ｍ方向）に出没自在に本体部分２０３に対して移動可能であり、カウント部２０７に内蔵された付勢ばね（図示せず）によって本体部分２０３から上方に向けて突出するよう付勢されている。
表示部２０９は、ここでは機械式の表示具によって構成されており、図６の如く、扉本体５５ａの背面５５ａ２側からは表示部２０９が表示している数字（図６では「０７１９」）を目視できる。
カウント部２０７は、変位部材２０５の上下方向の一往復運動によって表示部２０９の数字を１ずつ機械的に増加させるものである。なお、本体部分２０３に設けられた図示しない突起を押下することで、表示部２０９が表示する数字を「０」に戻す（リセット）ことができる。
なお、ここでは表示部２０９及びカウント部２０７とも機械式のものを用いているが（例えば、ライン精機株式会社製の商品名「メカニカルカウンター」と同様の機構を有する。）、これら一方又は両方を電気的に動作するものとしてよい。
【００２８】
そして、倉庫本体５３の開口部分５３ｈを規定する天井部分には、変位部材２０５に上方から当接し変位部材２０５を下方に押下する押下突起５６が、下方に向けて垂下するように形成されている。図５及び図６に示すように開口部分５３ｈが扉５５により閉じられている状態では、カウント部２０７に内蔵された付勢ばね（図示せず）の付勢力に抗し、押下突起５６が変位部材２０５を下方に押下した状態になっている。この開口部分５３ｈが扉５５により閉じられている状態から、取っ手５５ｂを手で把持して扉５５を回動（図５及び図６中、矢印Ｊ方向）させ開口部分５３ｈを開くと、押下突起５６から変位部材２０５が離れ、カウント部２０７に内蔵された付勢ばね（図示せず）の付勢力によって変位部材２０５は本体部分２０３から上方に向けて突出する。この開口部分５３ｈが開放された状態から、取っ手５５ｂを手で把持して扉５５を回動させ開口部分５３ｈを閉じると、押下突起５６が変位部材２０５に再び当接し、カウント部２０７に内蔵された付勢ばね（図示せず）の付勢力に抗して変位部材２０５は下方に押下され図５及び図６に示すような状態に戻る。
即ち、開口部分５３ｈが扉５５により閉じられている状態（図５、図６）では、変位部材２０５は下方に押下された状態であり、そして開口部分５３ｈが開放された状態では変位部材２０５は上方に突出した状態である。このため開口部分５３ｈが扉５５により閉じられている状態（図５、図６）から、開口部分５３ｈが開放された状態を経て、開口部分５３ｈが扉５５により再び閉じられている状態（図５、図６）になると、変位部材２０５は上下方向の一往復の運動をするので、該一往復の運動によりカウント部２０７が表示部２０９の数字を１だけ増加させる。
このため倉庫本体５３とそれに取り付けられる扉５５とを備える倉庫（第２開閉装置５１）の管理者等は、自分が第２開閉装置５１から離れるときの表示部２０９の数字を記憶しておけば、その後、自分が第２開閉装置５１に戻ってきたときの表示部２０９の数字を見ることで、自分が第２開閉装置５１から離れていた間に他の者が扉５５を回動させ開口部分５３ｈを開放したかどうか（表示部２０９が表示している数字に変化がないかどうか）、そしてその回数（表示部２０９が表示している数字の変化）を知ることができる。
【００２９】
以上の通り、本装置２０１は、開口部分５３ｈを有する第１部分（倉庫本体５３）と、第１部分（倉庫本体５３）に対して相対的に移動することで該開口部分５３ｈを開閉する第２部分（扉５５）と、を備える開閉装置（倉庫）に配設され、第２部分（扉５５）が第１部分（倉庫本体５３）に対して相対的に移動（ここでは回動）することで該開口部分５３ｈを開閉した回数に応じた開閉回数関連情報を表示する開閉回数関連情報表示装置であって、第１部分（倉庫本体５３）と第２部分（扉５５）とのいずれか一方（ここでは第２部分（扉５５））に取り付けられる本体部分２０３と、第１部分（倉庫本体５３）と第２部分（扉５５）とのいずれか他方（ここでは第１部分（倉庫本体５３）、押下突起５６）に係合し、該他方（第１部分（倉庫本体５３））が本体部分２０３に対して生じる相対的変位を検出する変位検出手段（変位部材２０５）と、変位検出手段（変位部材２０５）が検出する該相対的変位に基づき開閉回数関連情報を形成する情報形成手段（カウント部２０７）と、情報形成手段（カウント部２０７）が形成した開閉回数関連情報を表示する表示手段（表示部２０９）と、を備えてなる、開閉回数関連情報表示装置である。
【００３０】
本装置２０１においては、開閉回数関連情報が、所定期間内（ここでは本体部分２０３に設けられた前記図示しない突起を押下することで、表示部２０９が表示する数字を「０」に戻してからこれまでの期間内）に前記開口部分５３ｈを開閉した回数である。
本装置２０１においては、変位検出手段（変位部材２０５）が、第２部分（扉５５）が第１部分（倉庫本体５３）に対して相対的に移動し前記開口部分５３ｈを１回開閉する毎に、１周期の本体部分２０３に対する相対的変位を生じる変位部材２０５を含むものである。
本装置２０１においては、前記変位部材２０５が、一方向（ここでは上方向）とその逆方向（ここでは下方向）とに往復動可能に支持されると共に該一方向（上方向）に向かって付勢されるものであり、該一方向（上方向）から該逆方向（下方向）へ前記他方（第１部分（倉庫本体５３））により押圧されることで付勢力に抗して該逆方向（下方向）へ移動し、そして前記他方（第１部分（倉庫本体５３））の押圧が解かれることで付勢力により該一方向（上方向）へ戻るものであり、前記他方（第１部分（倉庫本体５３））による押圧によって該一方向（上方向）から該逆方向（下方向）へ移動し再び該一方向（上方向）へ戻る前記変位部材２０５の１往復動が前記１周期の本体部分に対する相対的変位である。
本装置２０１においては、第１部分（倉庫本体５３）が建造物本体であり、第２部分（扉５５）が、該建造物本体に取り付けられ回動又はスライド可能な扉又は窓（ここでは回動可能な扉）である。
【００３１】
（第３実施形態）
図７は、本発明の開閉回数関連情報表示装置（本装置）３０１が配設された第３実施形態の開閉装置（以下、「第３開閉装置」という。）７１を示す左側面図であり、図８は図７のＮ−Ｎ断面図（一部拡大）である。図７及び図８を参照して、第３開閉装置７１について説明する。図７中、上を矢印Ｃ（鉛直上方向）にて、そして下を矢印Ｄ（鉛直下方向）にて、それぞれ示す。また、図示及び理解を容易にするため、図７においては本装置３０１の図示を一部省略している。
第３開閉装置７１は、大まかには、内部に収納空間７３ｓを有する容器本体７３と、容器本体７３に対して回動軸７７を中心に回動（図７中、回動方向を矢印Ｐにて示す）可能な容器蓋体７５と、を備える容器（ここでは宝石入れ。開閉装置）であり、本装置３０１が配設されている。ここに容器本体７３及び容器蓋体７５のいずれも樹脂材料（プラスチック材料）によって形成されているので、これらを磁力は自由に透過することができる。
【００３２】
容器本体７３は、主表面が略長方形をした底板７３ａと、互いに略平行になるように底板７３ａに取り付けられた一対の側板７３ｂと、側板７３ｂに対して略垂直になるように底板７３ａに取り付けられた奥板７３ｃと、奥板７３ｃに対して略平行になるように底板７３ａに取り付けられた前板７３ｄと、を有してなり、上面に開口部分７４を有する中空の箱形（略直方体）を形成している。
容器蓋体７５は、容器本体７３の上方から開口部分７４を覆い閉じることができるものであり、詳細には、主表面が略長方形をした天板７５ａと、互いに略平行になるように天板７５ａに取り付けられた一対の側板７５ｂと、側板７５ｂに対して略垂直になるように天板７５ａに取り付けられた奥板７５ｃと、奥板７５ｃに対して略平行になるように天板７５ａに取り付けられた前板７５ｄと、を有してなり、下面に開口７６を有する中空の箱形（略直方体）を形成している。容器蓋体７５は、容器本体７３の上縁７３ｋを開口７６に収容することで、開口部分７４を覆い閉じることができる。
容器蓋体７５は、容器本体７３に固定された回動軸７７を中心に容器本体７３に対して回動自在であり、図７に示した状態から容器蓋体７５を反時計周り（図７中、矢印Ｐ方向）に回動させれば、開口部分７４を開放することができる。なお、容器蓋体７５を容器本体７３に対して回動させやすくするため、容器蓋体７５の前縁部分に指をかけるための凸条部分７５ｑが形成されている。
このような容器蓋体７５と容器本体７３とを備える容器（開閉装置）はこれまで様々なところで用いられている。
【００３３】
本装置３０１のうち、略直方体形状をした本体部分３０３が容器本体７３の側板７３ｂ内面に取り付けられることで容器本体７３の内側（収納空間７３ｓ）に配設されており、この側板７３ｂ内面に取り付けられた本体部分３０３に隣接する側板７５ｂの内部には永久磁石３０９が内蔵（埋設）されている。永久磁石３０９から発せられる磁力は、側板７５ｂ及び側板７３ｂを透過し、本体部分３０３内部に配置される磁力変化検出部３０５（例えば、中心に鉄心が挿入されたコイル等を含んで形成されてもよい）に達する。そして、磁力変化検出部３０５によって検出された永久磁石３０９からの磁力変化は、該磁力が弱まった後に再び強まる変化を１の変化とし、該１の変化が何回起きたかの回数が、本体部分３０３上面に取り付けられた表示部３０６（特に図８参照）に表示される。磁力変化検出部３０５によって検出された永久磁石３０９からの磁力変化は該磁力が弱まった後に再び強まる該１の変化をする毎に、本体部分３０３に内蔵されたカウント部３０７（特に図８参照）が表示部３０６が表示する数字を１ずつ増加させる。このように本装置３０１は、側板７５ｂの内部に配設された永久磁石３０９と、容器本体７３の側板７３ｂ内面に取り付けられた本体部分３０３と、本体部分３０３内部に配置される磁力変化検出部３０５と、磁力の該１の変化が何回起きたかの回数を表示する本体部分３０３上面に取り付けられた表示部３０６と、磁力の該１の変化が何回起きたかの回数をカウントするカウント部３０７と、を含んでなる。なお、本体部分３０３に設けられた図示しない突起を押下することで、表示部３０６が表示する数字を「０」に戻す（リセット）ことができる。また、ここではカウント部３０７及び表示部３０６のいずれも電気的に動作するものを用いている（これらを動作させるため本体部分３０３内部には電池（不図示）が内蔵されている。）。
表示部３０６は、図７に示した状態から容器蓋体７５を反時計周り（図７中、矢印Ｐ方向）に回動させ開口部分７４を開放することで、それが表示している数字（図８では「０５２３８」）を管理者等は目視できる。
【００３４】
このため図７に示すように容器蓋体７５が容器本体７３の開口部分７４を覆い閉じた状態では、磁力変化検出部３０５は永久磁石３０９からの磁力を最も強く受ける。この開口部分７４が覆い閉じられた状態（図７）から、容器蓋体７５を反時計周り（図７中、矢印Ｐ方向）に回動させ開口部分７４を開放すれば、永久磁石３０９が磁力変化検出部３０５から遠ざかるので磁力変化検出部３０５は永久磁石３０９からの磁力が弱くなったことを検出する。そして、開口部分７４が開放された状態から、容器蓋体７５を時計周り（図７中、矢印Ｐとは逆方向）に回動させ開口部分７４を閉じると、永久磁石３０９が磁力変化検出部３０５に近づくので磁力変化検出部３０５は永久磁石３０９からの磁力が強くなったことを検出する。
このため、容器蓋体７５が容器本体７３の開口部分７４を覆い閉じた状態（図７）から、容器蓋体７５を反時計周り（図７中、矢印Ｐ方向）に回動させ開口部分７４を開放した状態を経て、再び、容器蓋体７５が容器本体７３の開口部分７４を覆い閉じた状態（図７）にすると、永久磁石３０９から磁力変化検出部３０５が受ける磁力は、磁力が弱まった後に再び強まる前記１の変化を検知し、前記１の変化によりカウント部３０７が表示部３０６の数字を１だけ増加させる。
このため容器蓋体７５と容器本体７３とを備える容器である第３開閉装置７１の管理者等は、自分が第３開閉装置７１から離れるときの表示部３０６の数字を記憶しておけば、その後、自分が第３開閉装置７１に戻ってきたときの表示部３０６の数字を見ることで、自分が第３開閉装置７１から離れていた間に他の者が開口部分７４を開放したかどうか（表示部３０６が表示している数字に変化がないかどうか）、そしてその回数（表示部３０６が表示している数字の変化）を知ることができる。
【００３５】
以上の通り、本装置３０１は、開口部分７４を有する第１部分（容器本体７３）と、第１部分（容器本体７３）に対して相対的に移動（ここでは回動）することで該開口部分７４を開閉する第２部分（容器蓋体７５）と、を備える開閉装置（容器）に配設され、第２部分（容器蓋体７５）が第１部分（容器本体７３）に対して相対的に移動（ここでは回動）することで該開口部分７４を開閉した回数に応じた開閉回数関連情報を表示する開閉回数関連情報表示装置であって、第１部分（容器本体７３）と第２部分（容器蓋体７５）とのいずれか一方（ここでは第１部分（容器本体７３））に取り付けられる本体部分３０３と、第１部分（容器本体７３）と第２部分（容器蓋体７５）とのいずれか他方（ここでは第２部分（容器蓋体７５））に係合し、該他方（ここでは第２部分（容器蓋体７５））が本体部分３０３に対して生じる相対的変位を検出する変位検出手段（ここでは永久磁石３０９と磁力変化検出部３０５とを含んで構成される。）と、変位検出手段（永久磁石３０９と磁力変化検出部３０５とを含む。）が検出する該相対的変位に基づき開閉回数関連情報を形成する情報形成手段（カウント部３０７）と、情報形成手段（カウント部３０７）が形成した開閉回数関連情報を表示する表示手段（表示部３０６）と、を備えてなる、開閉回数関連情報表示装置である。
【００３６】
本装置３０１においては、開閉回数関連情報が、所定期間内（ここでは本体部分３０３に設けられた前記図示しない突起を押下することで、表示部３０６が表示する数字を「０」に戻してからこれまでの期間内）に前記開口部分７４を開閉した回数である。
本装置３０１においては、変位検出手段（永久磁石３０９と磁力変化検出部３０５とを含む。）が、前記他方（ここでは第２部分（容器蓋体７５））に係合（ここでは内蔵（埋設）されている。）する磁力発生手段（永久磁石３０９）と、磁力発生手段（永久磁石３０９）から生じる磁力の変化を検出するために本体部分３０３に取り付けられた磁力変化検出手段（磁力変化検出部３０５）と、を有してなる。
本装置３０１においては、第１部分（容器本体７３）が内部に収納空間７３ｓを有する容器本体７３であり、第２部分（容器蓋体７５）が、該容器本体７３に対して相対的に回動する容器蓋体７５である。
【００３７】
以上説明したように、本装置が配設された開閉装置においては、該開閉装置の管理者等は、自分が該開閉装置から離れている間に他の者が開口部分を開放したかどうか、そしてその回数を知ることができるので、例えば、該開閉装置が個人情報データに係る物（例えば、ＣＤ、ＦＤ及びフラッシュメモリー等のような記憶媒体や、書類等）を保管するために用いられるものであれば、個人情報データの保護に資することができる。さらに、本装置が配設された開閉装置では、開閉装置への施錠等と異なり、家庭内において用いても互いの信頼関係を害するような違和感を生じにくいことから、家庭内での盗難の早期発見を目的に本装置を用いることもできる。加えて、本装置が配設された開閉装置では、開閉装置への施錠と異なり、鍵を紛失することもないので、円滑かつ容易な使用を継続することができる。
さらに、上述の第１実施形態の本装置１０１及び第２実施形態の本装置２０１においては変位部材を用い、第３実施形態の本装置３０１においては磁力を用いて開口部分の開放を検出しているが、これに限定されるものでないことは言うまでもなく、例えば、第１実施形態の本装置及び第２実施形態の本装置において磁力を用いて開口部分の開放を検出したり、第３実施形態の本装置において変位部材を用いて開口部分の開放を検出してもよい。
【図面の簡単な説明】
【００３８】
【図１】本発明の開閉回数関連情報表示装置（本装置）が配設された第１実施形態の開閉装置（第１開閉装置）を示す平面図である。
【図２】第１開閉装置の右側面図である。
【図３】引き出し部を机本体部から少し引き出したところの一部を拡大した一部拡大平面図である。
【図４】図３に示した状態における右側面図である。
【図５】本発明の開閉回数関連情報表示装置（本装置）が配設された第２実施形態の開閉装置（第２開閉装置）を示す正面図である。
【図６】図５のＫ−Ｋ断面図である。
【図７】本発明の開閉回数関連情報表示装置（本装置）が配設された第３実施形態の開閉装置（第３開閉装置）を示す左側面図である。
【図８】図７のＮ−Ｎ断面図（一部拡大）である。
【符号の説明】
【００３９】
１１        第１開閉装置
２１        引き出し部
２１ａ      底板
２１ｂ１、２１ｂ２  側板
２１ｃ      奥板
２１ｄ      前板
２１ｅ      取っ手
２２        内部
２３        開口部分
３１        机本体部
３３        箱部分
３３ａ      前面
３３ｂ      下面
３３ｃ      内部上面
３５        脚部
５１        第２開閉装置
５３        倉庫本体
５３ａ      前面
５３ｈ      開口部分
５４        蝶番
５５        扉
５５ａ      扉本体
５５ａ１    前面
５５ａ２    背面
５５ｂ      取っ手
５６        押下突起
７１        第３開閉装置
７３        容器本体
７３ａ      底板
７３ｂ      側板
７３ｃ      奥板
７３ｄ      前板
７３ｋ      上縁
７３ｓ      収納空間
７４        開口部分
７５        容器蓋体
７５ａ      天板
７５ｂ      側板
７５ｃ      奥板
７５ｄ      前板
７５ｑ      凸条部分
７６        開口
７７        回動軸
１０１        本装置（第１実施形態）
１０３        本体部分
１０５        変位部材
１０７        カウント部
１０９        表示部
２０１        本装置（第２実施形態）
２０３        本体部分
２０５        変位部材
２０７        カウント部
２０９        表示部
３０１        本装置（第３実施形態）
３０３        本体部分
３０５        磁力変化検出部
３０６        表示部
３０７        カウント部
３０９        永久磁石
【図１】
2009211130.tif 000003
【図２】
2009211130.tif 000004
【図３】
2009211130.tif 000005
【図４】
2009211130.tif 000006
【図５】
2009211130.tif 000007
【図６】
2009211130.tif 000008
【図７】
2009211130.tif 000009
【図８】
2009211130.tif 000010